(57)【特許請求の範囲】
【請求項１】
スタティックミキサー２ｅとスタティックミキサー２ｅを内包し後端に取付部２ｂを形成したチューブ体２ａからなるノズル２と、
内部が中空で後端が開口したカプセル本体１６ａと前記カプセル本体１６ａの先端面に形成した前記取付部２ｂと連結するノズル取付部１６ｂと前記カプセル本体１６ａ内部に形成した２つの突起片１６ｄ、１６ｅからなるカプセル１６と、
内部が中空で後端が開口したカップ本体１７ａと前記カップ本体１７ａの先端に形成した薄膜シール１７ｂと前記薄膜シール１７ｂ上に備えられた開通片１７ｃからなり前記カプセル１６内に収納される第３カップ１７と、
内部が中空で後端が開口したカップ本体１８ａと前記カップ本体１８ａの先端に形成した薄膜シール１８ｂと前記薄膜シール１８ｂ上に備えられた開通片１８ｃからなり前記第３カップ１７と共に前記カプセル１６内に収納される第４カップ１８と、
先端に逃げ溝１９ｂを設け後端外周面に拡張部１９ａを形成し前記第３カップ１７に圧入される第１プランジャー１９と、
先端に逃げ溝２０ｂを設け後端外周面に拡張部２０ａを形成し前記第４カップ１８に圧入される第２プランジャー２０とからなることを特徴とする歯科用カプセル１ｂ。
【請求項２】
前記第３カップ１７を、内部が中空で後端が開口したカップ本体１７ａと前記カップ本体１７ａの先端面に形成した薄膜シート１７ｅからなり前記カプセル１６内に収納される第３カップとしことを特徴とする請求項１に記載の歯科用カプセル１ｂ。
【請求項３】
前記第４カップ１８を、内部が中空で端が開口したカップ本体１８ａと前記カップ本体１８ａの先端面に形成した薄膜シート１８ｆからなり前記第３カップ１７と共に前記カプセル１６内に収納される第４カップとしたことを特徴とする請求項１又は請求項２に記載の歯科用カプセル１ｅ。
【請求項４】
前記ノズル２の先端に、先端口２２ｂの向きが３６０°変えられる屈曲した可変ノズル２２を取り付けたことを特徴とする請求項１乃至請求項３のいずれか１項に記載の歯科用カプセル。
【発明の詳細な説明】
【技術分野】
【０００１】
本発明は、歯科治療において歯牙修復の際に使用する歯牙修復用カプセルに関する発明である。
【背景技術】
【０００２】
従来、歯牙の修復に用いる歯牙修復材は粉体成分と液体成分からなり、使用する度にそれぞれの成分を計量し練り合わせて使用していた。
【０００３】
また、上記のように使用の度に各成分を計量し、練り合わせるという手間を省くために予め計量した各成分を隔離した状態で収納しておき、使用の際に各成分の隔離状態を解除させて混合しミキサー等を使用して練り合わせ、歯牙の修復部分に直接押し出して使用するカプセルが開発されている。
【０００４】
しかしながら、従来のように歯牙修復材を使用する度に粉体成分と液体成分を計量して練り合わせる方法では、各成分の計量と練り合わせという行程を踏まなければならいため歯牙修復材を生成するのに時間がかかり、常に一定の質を持った歯牙修復材を生成することは難しかった。
【０００５】
また、計量された各成分を隔離した状態で収納し使用の際に各成分の隔離状態を解除してカプセル内で混合しミキサー等を使用して練り合わせた後にカプセルより直接押し出して使用する方法では、外部からの圧力や衝撃等により内部の隔離状態が解除されてしまうことがあり、安心して保管できるものではなかった。
【０００６】
また、隔離状態を解除した後にミキサー等で混合していたが、十分に混合することが難しく、特に液体同士の場合は混合することが非常に難しいものであった。  
【特許文献１】特開２００２−２１９３８号公報
【発明の開示】
【発明が解決しようとする課題】
【０００７】
そこで、本発明は、外部からの圧力や衝撃に強く使用前に各液の隔離状態が解除されにくい保管に適した歯科用カプセル及び液体同士又は液体と粉体のどちらであっても容易に混合することができる歯科用カプセルを提供することを目的とするものである。
【課題を解決するための手段】
【０００８】
本発明は、上記の課題を解決するために、スタティックミキサー２ｅとスタティックミキサー２ｅを内包し後端に取付部２ｂを形成したチューブ体２ａからなるノズル２と、内部が中空で後端が開口したカプセル本体１６ａと前記カプセル本体１６ａの先端面に形成した前記取付部２ｂと連結するノズル取付部１６ｂと前記カプセル本体１６ａ内部に形成した２つの突起片１６ｄ、１６ｅからなるカプセル１６と、内部が中空で後端が開口したカップ本体１７ａと前記カップ本体１７ａの先端に形成した薄膜シール１７ｂと前記薄膜シール１７ｂ上に備えられた開通片１７ｃからなり前記カプセル１６内に収納される第３カップ１７と、内部が中空で後端が開口したカップ本体１８ａと前記カップ本体１８ａの先端に形成した薄膜シール１８ｂと前記薄膜シール１８ｂ上に備えられた開通片１８ｃからなり前記第３カップ１７と共に前記カプセル１６内に収納される第４カップ１８と、先端に逃げ溝１９ｂを設け後端外周面に拡張部１９ａを形成し前記第３カップ１７に圧入される第１プランジャー１９と、先端に逃げ溝２０ｂを設け後端外周面に拡張部２０ａを形成し前記第４カップ１８に圧入される第２プランジャー２０とからなることを特徴とする歯科用カプセル１ｂの構成とした。
【０００９】
また、前記第３カップ１７を、内部が中空で後端が開口したカップ本体１７ａと前記カップ本体１７ａの先端面に形成した薄膜シート１７ｅからなり前記カプセル１６内に収納される第３カップとしことを特徴とする前記歯科用カプセル１ｂの構成とした。
【００１０】
加えて、前記第４カップ１８を、内部が中空で端が開口したカップ本体１８ａと前記カップ本体１８ａの先端面に形成した薄膜シート１８ｆからなり前記第３カップ１７と共に前記カプセル１６内に収納される第４カップとしたことを特徴とする前記何れかに記載の歯科用カプセル１ｅの構成とした。
【００１１】
加えて、前記ノズル２の先端に、先端口２２ｂの向きが３６０°変えられる屈曲した可変ノズル２２を取り付けたことを特徴とする前記いずれかに記載の歯科用カプセルの構成とした。
【発明の効果】
【００１２】
本発明の歯科用カプセルは内部の突起を押圧することにより各成分の隔離を解除するため外部からの衝撃に強く保管状態において隔離状態が解除されて各成分が混ざってしまうことがない。
【００１３】
また、各液の隔離のための栓として用いた撹拌子がミキサーにかけた際に混合を促進するため液体同士であっても十分に混合することができる。
【発明を実施するための最良の形態】
【００１４】
各液の隔離状態を維持し、使用の際に容易に隔離状態を解除することができ更に常に一定の質を保った混合液を作り出すことができる歯科用カプセルという目的を、各液の隔離解除部分に薄膜シートを介して取り付けた突起又は突起に接することで破れる薄膜シートを取付けること又は撹拌子を備えることによって実現した。
【実施例１】
【００１５】
次に図１から図３を利用して本発明である歯科用カプセルを詳細に説明することとする。図１は本発明である歯科用カプセルの断面図、図２は歯科用カプセルの分解断面図、図３は歯科用カプセルの各状態を示した断面図である。
【００１６】
図１及び図２に示すように、本発明である歯科用カプセル１はスタティックミキサー２ｅを内包し後端に取付部２ｂを形成したチューブ体２ａからなるノズル２と、
先端に前記ノズル２を取り付ける連結部３ｆを形成し後端外周面にアプライヤーに取り付けるための係合部３ｂを形成した内部が中空のカプセル本体３ａからなるカプセル３と、
先端に突起４ｃを形成しその周面を薄膜シール４ｄとした内部が中空のカップ４ａからなり前記カプセル３に内包される液カップ４と、
内壁５ｄ、中壁５ｃ、外壁５ｂの三重の筒体からなり内壁５ｄが形成する筒体の先端に凹部５ｆを設け前記内壁５ｄと中壁５ｃの間を挿通溝５ｅとしたプランジャー本体５ａからなり前記液カップ４の後端を挿通溝５ｅに嵌入した状態でカプセル３内に圧入されるプラジャー５とからなる。
【００１７】
前記ノズル２は内部が中空２ｆのチューブ体２ａからなり、一端には先端口２ｃが形成され、後端には取付部２ｂが形成されている。チューブ体２ａ内にはスタティックミキサー２ｅが内包されている。
【００１８】
前記取付部２ｂは円盤状をしており中央部分が中空２ｆの後端となり開口している。また、取付部２ｂのチューブ体２ａとは反対側の面に凹部２ｄが形成されている。
【００１９】
前記カプセル３は内部が中空で先端側に壁３ｍが形成され、後端側が開口している。前記壁３ｍから後端部にかけた広い空間を特に第１室３ｌとし、液カップ４やプランジャー５が内包される。また、カプセル本体３ａの後端外周面は係合部３ｂが形成され、更に前記係合部３ｂには係合溝３ｃが形成されている。
【００２０】
前記壁３ｍには先端側に向かって内部に通路３ｊを設けた連結部３ｆが形成されており、更に連結部３ｆの先端面には凸部３ｇが形成されている。この凸部３ｇは前記ノズル２の凹部２ｄとかみ合う形状をしており、連結部３ｆにノズル２を連結する際に凹部２ｄと凸部３ｇをかみ合わせる。
【００２１】
前記連結部３ｆはカプセル本体３ａの先端部付近に形成された壁３ｍ上に設けられており、連結部３ｆの先端はカプセル本体３ａの外壁３ｄ及び内壁３ｅの先端よりも内側に位置している。
【００２２】
前記通路３ｊの底面、即ち連結部３ｆの底面にあたる壁３ｍは第１室３ｌに向かって突起３ｈを形成しており、この突起３ｈの周面は薄膜シール３ｉが形成されている。従って第１室３ｌ側から突起３ｈに対して一定の力を加えると突起３ｈの周面に形成された薄膜シール３ｉが破れて通路３ｊと第１室３ｌが連通する。
【００２３】
前記壁３ｍの第一室３ｌ側にはストッパー３ｋが隆起した状態で形成されており、第１室３ｌ内に内包される液カップ４が前方に向かって押入された際にカップ４ａの先端部が接触する。
【００２４】
前記液カップ４は後端のみが開口したカップ４ａからなり、カップ４ａの後端外周面は僅かに隆起した拡張部４ｂを形成している。特にカップ４ａ内部を第２室４ｅとした。
【００２５】
一方、カップ４ａの先端には外方に向かって突起４ｃが形成されており、この突起４ｃの周面には薄膜シール４ｄが形成されている。先端方向から突起４ｃに向かって一定の力を加えると突起４ｃの周面に形成された薄膜シール４ｄが破れカップ４ａの先端面の一部が開口する。
【００２６】
前記プランジャー５は内壁５ｄ、中壁５ｃ、外壁５ｂの三重の筒体を形成したプランジャー本体５ａからなり、図１及び図２に示すように、一連の壁を複数回折り返したように各壁が形成されている。従って外壁５ｂの先端と中壁５ｃの先端は連結しており、中壁５ｃの後端と内壁５ｄの後端も連結している。特に中壁５ｃと内壁５ｄの間にできた溝を挿入溝５ｅとし、前記液カップ４が挿入される。
【００２７】
また、内壁５ｄの先端面には凹部５ｆが設けられており、液カップ４が挿入溝５ｅの奥まで挿入された際に、薄膜シール４ｄが破れて第２室４ｅ内に外れている突起４ｃが逃げるための場所となっている。
【００２８】
次に図１から図３を使用して、本発明である歯科用カプセル１の各状態を説明することとする。
【００２９】
図１に示すように、歯科用カプセル１の最初の状態では、連結部３ｆにノズル２を取り付けたカプセル３の第１室３ｌに一定量の第２成分７が入っており、更に後端からプランジャー５が半分程度圧入されている。このとき、プランジャー５の挿入溝５ｅには液カップ４の後部が連結されており、この液カップ４の第２室４ｅには一定量の第１成分６が入っている。
【００３０】
また、カプセル本体３ａとカップ４ａは接触していない状態であり、第１成分６、第２成分７も混合されずに隔離された状態にある。この状態でアプライヤーに取付けて準備をする。
【００３１】
図３（Ａ）に示すように、アプライヤーを作動させると液カップ４を連結したプランジャー５が第１室３ｌ内で先端に向かって押入され、突起３ｈが液カップ４の先端面に接触して押され薄膜シール３ｉが破れる。また、液カップ４の突起４ｃは壁３ｍに接触して押され薄膜シール４ｄが破れる。
【００３２】
以上のように各突起３ｈ、４ｃに一定の力が加わり、それらの周面に形成された薄膜シール３ｉ、４ｄが破れることで第２室４ｅは第１室３ｌと連通し、第１室３ｌと通路３ｊが連通する。
【００３３】
図３（Ｂ）に示すように、以上の状態から更にプランジャー５を押入するとプランジャー５の内壁５ｄにより第２室４ｅ内の第１成分６が押し出され、同時にプランジャー５の外壁５ｂと中壁５ｃの連結面により第１室３ｌの第２成分７が押し出される。
【００３４】
上記のように押し出された各成分６、７はノズル２内のスタティックミキサー２ｅを通過する際に混ぜ合わされノズル２から外部に押し出されるときには混合液８となっている。
【００３５】
以上のように、本発明である歯科用カプセル１では、アプライヤーを使用してプランジャー５を押入するまでは各成分６、７はそれぞれ隔離された状態を保つことができ、また、容易には各突起３ｈ、４ｃに力が加えることができないため使用前に各成分６、７が混ざる心配がなく、各成分を内部で独立保存した状態で保管することができる。
【００３６】
また、ミキサー等を使用することなく各成分６、７を混ぜることができるため作業効率が上がり、常に一定の質を維持した混合液８を使用することができる。
【実施例２】
【００３７】
次に図４から図６を使用して、本発明である歯科用カプセルの第２実施例を詳細に説明することとする。図４は本発明である歯科用カプセルの第２実施例の断面図、図５は歯科用カプセルの第２実施例の分解断面図、図６は歯科用カプセルの第２実施例の各状態を示した断面図である。
【００３８】
図４及び図５に示すように、本発明である歯科用カプセル１ａは、先端口９ｃと取付部９ｂを形成したチューブ体９ａからなるノズル９と、
前記ノズル９を連結するノズル取付部１０ｄを先端に形成し後端外周面にアプライヤーを取り付けるための係合部１０ｂを形成した内部が中空のカプセル本体１０ａからなるカプセル１０と、
先端に通路１１ｆと共に通路１１ｆを塞ぐ突起１１ｃを備えた先端部１１ｂを形成し後端は大きく開口して外周面にストッパー１１ｇを形成したカップ本体１１ａからなり前記カプセル本体１０ａ内に挿入される第１カップ１１と、
先端から全体の４分の１程度後部に向かって内壁面を徐々に径を小さく形成して最も径の小さい位置を挟装部１２ｅとし後端外周面に拡張部１２ｆを形成したカップ本体１２ａからなり前記第１カップ１１内に挿入される第２カップ１２と、
前記挟装部１２ｅに挟まれた状態で取り付けられる撹拌子１３と、
先端に撹拌子受け部１４ａを形成した内プランジャー１４を挿入して連結し前記第２カップ１２内に取付けられる筒状の外プランジャー１５とからなる。
【００３９】
前記ノズル９は内部が中空のチューブ体９ａからなり、一端には先端口９ｃが形成され、後端には取付部９ｂが形成されている。前記取付部９ｂは円盤状をしており中央部分がチューブ体９ａの後端となるため開口し、取付部９ｂのチューブ体９ａとは反対側の面に凹部９ｄが形成されている。
【００４０】
前記カプセル本体１０ａは、内部が中空で先端面を一段低くしてノズル取付部１０ｄを形成し、後端側は開口している。前記ノズル取付部１０ｄにはノズル９の凹部９ｄに対応する凸部１０ｅが形成されており、更にノズル取付部１０ｄの内側には孔１０ｆが穿設されて中空部分と連通している。
【００４１】
前記カプセル本体１０ａの中空部分を特に第３室１０ｉといい、前記第３室１０ｉの先端側の内壁面には陥入部１０ｇとして径を小さくして段差が設けられている。一方、第３室１０ｉの後端の開口部分は径を大きくして段差を設けてストッパー受け１０ｈを形成している。
【００４２】
カプセル本体１０ａの後端外周面はアプライヤーを取り付けるための係合部１０ｂが形成されており、この係合部１０ｂには係合溝１０ｃが形成されている。
【００４３】
前記ノズル取付部１０ｄにノズル９を取り付ける際には、取付部９ｂをノズル取付部１０ｄに陥入し、更に凹部９ｄに凸部１０ｅをはめ込ませた状態で連結する。このとき、チューブ体９ａの後端開口部分と孔１０ｆの位置は一致している。
【００４４】
前記第１カップ１１は、後端のみが開口したカップ本体１１ａからなり、カップ本体１１ａの後端外周面は径を大きくしてストッパー１１ｇを形成している。特にカップ本体１１ａ内部を第４室１１ｈとした。
【００４５】
一方、カップ本体１１ａの先端には径の小さい先端部１１ｂが設けられており、この先端部１１ｂの外周面には突部１１ｄが形成されている。また、先端部１１ｂには通路１１ｆが形成されており、通路１１ｆと前記第４室１１ｈを隔てる壁として薄膜シール１１ｅを形成し、この薄膜シール１１ｅの中央に突起１１ｃを形成した。
【００４６】
前記突起１１ｃは薄膜シール１１ｅの中央から先端、即ち通路１１ｆに向かって設けられており、突起１１ｃに対して通路１１ｆ側から一定の力が加わると薄膜シール１１ｅが破れて通路１１ｆと第４室１１ｈが開通する。
【００４７】
図４に示すように、以上の構成の第１カップ１１は、前記カプセル１０の第３室１０ｉ内に挿入され、先端部１１ｂが陥入部１０ｇ内に陥入される手前の状態で止まっている。このとき突起１１ｃの先端はカプセル本体１０ａのどの部分にも接触していない。
【００４８】
前記第２カップ１２は、内部が中空で貫通したカップ本体１２ａからなり、カップ本体１２ａ後端外周面には僅かに隆起した拡張部１２ｆが形成されている。
【００４９】
カップ本体１２ａのうち、先端側から全体の４分の１程度は通路１２ｃを形成し、残りの４分の３程度は第５室１２ｂを形成している。前記通路１２ｃは先端開口部から第５室１２ｂに向かうに従って徐々に径を小さくしており、最も径の小さい位置を特に挟装部１２ｅとして撹拌子１３を設置する部分とした。
【００５０】
また、挟装部１２ｅと第５室１２ｂの間には径の異なる段差を設けてストッパー受け１２ｄを形成している。
【００５１】
図４に示すように、以上のように構成された第２カップ１２は、撹拌子設置位置１２ｇに撹拌子１３を挟持した状態で前記第１カップ１１の後部より第４室１１ｈ内に挿入される。
【００５２】
前記内プランジャー１４は先端面に撹拌子受け部１４ａを形成したストッパー１４ｂを先端に備え、中央からやや後端側に突部１４ｃを形成しており、前記ストッパー１４ｂの径が最も大きい。また、ストッパー１４ｂの先端面に形成された撹拌子受け部１４ａは緩やかに湾曲した形状をしている。この内プランジャー１４は中央より後部を外プランジャー１５の挿通孔１５ａに挿入されて連結される。
【００５３】
前記外プランジャー１５は中央に挿通孔１５ａを形成した筒体をしており、前述のように挿通孔１５ａに内プランジャー１４の一部を挿入した状態で前記第２カップ１２の第５室１２ｂに挿入される。
【００５４】
このとき、内プランジャー１４の撹拌子受け部１４ａは、撹拌子設置位置１２ｇに設置している撹拌子１３を受け止めた状態で接している。
【００５５】
次に図４から図６を使用して、歯科用カプセル１ａの各状態を説明することとする。
【００５６】
図４に示すように、歯科用カプセル１ａの最初の状態では、第１カップ１１の第４室１１ｈに一定量の第１成分６が入っており、更に後端から第２カップ１２が圧入されている。このとき第２カップ１２の第５室１２ｂには一定量の第２成分７が入っており、更に後端から外プランジャー１５が半分程度圧入された状態となっている。
【００５７】
また、外プランジャー１５に後部を挿入した内プランジャー１４の撹拌子受け部１４ａは撹拌子１３に接触または接触に近い状態にある。
【００５８】
上記の状態では第４室１１ｈと第５室１２ｂは撹拌子１３によってそれぞれ独立した部屋を形成し、各成分６、７は混ざり合うことがない。この状態でアプライヤーに取り付けて準備をする。
【００５９】
図６（Ｃ）に示すように、アプライヤーを作動させると内プランジャー１４及び外プランジャー１５が第５室１２ｂ内に押入され、内プランジャー１４によって撹拌子１３が押されて撹拌子１３の挟持状態が外れる。
【００６０】
挟持状態から外れた撹拌子１３は第４室１１ｈに押し出され、更に外プランジャー１５を押入し続けると第５室１２ｂ内の第２成分７が第４室１１ｈに押し出される。このように内外プランジャー１４、１５を押入した状態では、第２成分７と撹拌子１３が第４室１１ｈ内に移動し、第１成分６と同じ部屋となる。
【００６１】
次に図６（Ｄ）に示すように、上記（Ｃ）の状態では各成分６、７が混ざり合わないため、歯科用カプセル１ａをミキサーにかけて各成分６、７を混ぜ、混合液８に変える。通常、液体の各成分６、７のみではミキサーにかけても混ざりにくく混合液として使用できなかったが、本発明のように撹拌子１３を使用してミキサーにかけることにより十分に混ぜ合わせることが可能となった。
【００６２】
次に図６（Ｅ）に示すように、第４室１１ｈ内の各成分６、７が混ざり混合液８となった後、第１カップ１１を押入すると第１カップ１１に形成された突起１１ｃがカップ本体１１ａの内壁に接触し、更に先端部１１ｂが陥入部１０ｇにしっかりと陥入するまで押入すると前記突起１１ｃが後部に向かって押され薄膜シール１１ｅが破れる。この薄膜シール１１ｅが破れたことにより通路１１ｆと第４室１１ｈは開通する。
【００６３】
最後に図６（Ｆ）に示すように、外プランジャー１５を押入することにより第２カップ１２を押入してゆくと、第２カップ１２に押されて混合液８がノズル９内へ逃げて先端口９ｃから押し出される。
【００６４】
以上のように、本発明である歯科用カプセル１ａでは、内外プランジャー１４、１５を押入して撹拌子１３の栓を外すまでは各成分６、７はそれぞれ隔離された状態を保つことができ、また容易には撹拌子１３に力を加えることができないため使用前に撹拌子１３が外れて混ざる心配がなく、各成分を内部で独立保存した状態で保管することができる。
【００６５】
また、保管状態では栓の役割をしていた撹拌子１３を成分の混ぜ合わせに使用することで、従来では難しかった液体成分同士を混ぜ合わせることが容易となり、常に一定の質を維持した混合液８を使用することができる。
【実施例３】
【００６６】
次に図７から図９を使用して、本発明である歯科用カプセルの第３実施例を詳細に説明することとする。図７は本発明である歯科用カプセルの第３実施例の断面図、図８は歯科用カプセルの第３実施例の分解断面図、図９は歯科用カプセルの第３実施例の各状態を示した断面図である。
【００６７】
図７及び図８に示すように、本発明である歯科用カプセル１ｂは、スタティックミキサー２ｅを内包し後端に取付部２ｂを形成したチューブ体２ａからなるノズル２と、
前記ノズル２を連結するノズル取付部１６ｂを先端面に形成し内部が中空で後端が開口したカプセル本体１６ａからなり前記カプセル本体１６ａ内部に２つの突起片１６ｄ、１６ｅを形成したカプセル１６と、
先端に薄膜シール１７ｂを介して開通片１７ｃを備え後端が開口したカップ本体１７ａからなり前記カプセル１６内に収納される第３カップ１７と、
先端に薄膜シール１８ｂを介して開通片１８ｃを備え後端が開口したカップ本体１８ａからなり前記カプセル１６内に収納される第４カップ１８と、
先端に逃げ溝１９ｂを設け後端外周面に拡張部１９ａを形成し前記第３カップ１７に圧入される第１プランジャー１９と、
先端に逃げ溝２０ｂを設け後端外周面に拡張部２０ａを形成し前記第４カップ１８に圧入される第２プランジャー２０とからなる。
【００６８】
前記ノズル２は内部が中空２ｆのチューブ体２ａからなり、一端には先端口２ｃが形成され、後端には取付部２ｂが形成されている。チューブ体２ａ内にはスタティックミキサー２ｅが内包されている。
【００６９】
前記取付部２ｂは円盤状をしており中央部分が中空２ｆの後端となり開口している。また、取付部２ｂのチューブ体２ａとは反対側の面に凹部２ｄが形成されている。
【００７０】
前記カプセル１６は、内部が中空で先端面を一段低くしてノズル取付部１６ｂを形成し、後端側は開口している。前記ノズル取付部１６ｂにはノズル２の凹部に対応する凸部１６ｃが形成されており、更にノズル取付部１６ｂの内側には孔１６ｆ、１６ｆが穿設されて中空部分と連通している。
【００７１】
図７及び図８に示すように、前記カプセル本体１６ａの内部は中空で前記ノズル取付部１６ｂとの間には突起片１６ｄ、１６ｅ及び内壁１６ｇを形成した壁で隔てられており、前記突起片１６ｄと内壁１６ｇの間及び突起片１６ｅと内壁１６ｇの間には前記孔１６ｆ、１６ｆが穿設されている。
【００７２】
前記第３カップ１７は、筒状のカップ本体１７ａからなり、先端には開通片１７ｃが設けられ後端は開口している。この開通片１７ｃの周面は薄膜シール１７ｂとなっており、開通片１７ｃに一定の力が加わると周面の薄膜シール１７ｂが破れてカップ本体１７ａの先端面も開口する。
【００７３】
尚、カップ本体１７ａの内部を特に第６室１７ｄとし、この中に第１成分６が保管される。
【００７４】
前記第４カップ１８は、筒状のカップ本体１８ａからなり、先端部１８ｄはやや径が小さくなっており、後端は開口している。先端部１８ｄの先端面には開通片１８ｃが設けられており、開通片１８ｃの周面は薄膜シール１８ｂとなっている。
【００７５】
開通片１８ｃについても、前記開通片１７ｃと同様に一定の力が加わることで周面の薄膜シール１８ｂが破れて先端面が開口するする。尚、カップ本体１８ａの内部を特に第７室１８ｅとし、この中に第２成分７が保管される。
【００７６】
前記第１プランジャー１９は、第３カップ１７に圧入される栓で、先端側に逃げ溝１９ｂが穿設されており、後部外周面に拡張部１９ａが形成されている。
【００７７】
前記第２プランジャー２０は、第４カップ１８に圧入される栓で、先端側に逃げ溝２０ｂが穿設されており、後部外周面に拡張部２０ａが形成されている。また、先端部２０ｃの径が小さくなっており、第４カップの先端まで圧入された際に先端部１８ｄに陥入する。
【００７８】
次に図９を使用して、歯科用カプセル１ｂの各状態を説明することとする。
【００７９】
図９（Ｇ）に示すように、歯科用カプセル１ｂの最初の状態では、一定量の第１成分６を入れ後部より第１プランジャー１９で栓をされた第３カップ１７と、一定量の第２成分７を入れ後部より第２プランジャー２０で栓をされた第４カップ１８がカプセル１６内に挿入されている。
【００８０】
この状態においては、第３カップ１７の開通片１７ｃは突起片１６ｄの延長線上に位置しているが互いに接しておらず、また、第４カップ１８の開通片１８ｃも突起片１６ｅの延長線上に位置しているが互いに接していない。
【００８１】
一方、第１及び第２プランジャー１９、２０は、それぞれ第３及び第４カップ１７、１８の後端から挿入されているが、拡張部１９ａ、２０ａの手前までの挿入に留まっている。以上のような状態でアプライヤーに取付ける。
【００８２】
次に図９（Ｈ）に示すように、第３及び第４カップ１７、１８を挿入し、開通片１７ｃ、１８ｃを開ける。即ち、第３カップ１７の挿入により開通片１７ｃは突起片１６ｄに接触し、更に挿入を続けることで突起片１６ｄが開通片１７ｃを後方に向かって押すこととなり周面の薄膜シール１７ｂが破れる。
【００８３】
また、同時に第４カップ１８の挿入により開通片１８ｃは突起片１６ｅに接触し、更に挿入を続けることで突起片１６ｅが開通片１８ｃを後方に向かって押すこととなり周面の薄膜シール１８ｂが破れる。
【００８４】
図９（Ｉ）に示すように、上記の状態（Ｈ）から第１プランジャー１９及び第２プランジャー２０を同時に圧入していくと各成分６、７が孔１６ｆ、１６ｆを通り、ノズル２へ移動し、更にスタティックミキサー２ｅを通過して先端口２ｃより押し出される。
【００８５】
スタティックミキサー２ｅを通過する際に各成分６、７は混ぜ合わされ、先端口２ｃより押し出された時には混合液８となっている。
【００８６】
以上のように、本発明である歯科用カプセル１ｂでは、アプライヤーを使用して各カップ１７、１８を押入するまでは各成分６、７はそれぞれ隔離された状態を保つことができ、また、容易には開通片１７ｃ、１８ｃを開通させることができないため使用前に各成分６、７が混ざる心配がなく、各成分を内部で独立保存した状態で保管することができる。
【００８７】
また、ミキサー等を使用することなく各成分６、７を混ぜることができるため作業効率が上がり、常に一定の質を維持した混合液８を使用することができる。
【実施例４】
【００８８】
次に図１０及び図１１を使用して本発明である歯科用カプセル１ｃを詳細に説明することとする。図１０は本発明である歯科用カプセルの第４実施例の断面図、図１１は歯科用カプセルの第４実施例の分解断面図である。
【００８９】
図１０及び図１１に示すように、歯科用カプセル１ｃは実施例１で示した歯科用カプセル１とほぼ同じ構成をしている。
【００９０】
即ち、本発明である歯科用カプセル１ｃはスタティックミキサー２ｅを内包し後端に取付部２ｂを形成したチューブ体２ａからなるノズル２と、
先端に前記ノズル２を取り付ける連結部３ｆを形成し後端外周面にアプライヤーに取り付けるための係合部３ｂを形成した内部が中空のカプセル本体３ａからなり内部に中央突起３ｎを形成したカプセル３と、
先端面に薄膜シート４ｆを設けた内部が中空のカップ４ａからなり前記カプセル３に内包される液カップ４と、
内壁５ｄ、中壁５ｃ、外壁５ｂの三重の筒体からなり内壁５ｄが形成する筒体の先端に凹部５ｆを設け前記内壁５ｄと中壁５ｃの間を挿通溝５ｅとしたプランジャー本体５ａからなり前記液カップ４の後端を挿通溝５ｅに嵌入した状態でカプセル３内に圧入されるプラジャー５とからなる。
【００９１】
以上のようにノズル２及びプランジャー５については実施例１と全く同様であるため省略し、実施例１と一部が異なるカプセル３及び液カップ４について説明することとする。
【００９２】
実施例１で示したカプセル３と歯科用カプセル１ｃのカプセル３はほぼ同じであり、次の点が異なる。歯科用カプセル１ｃのカプセル３には内部の壁３ｍ面に中央突起３ｎが設けられている。この中央突起３ｎは第１室３ｌ側に形成されており、突起３ｈとストッパー３ｋの間に位置している。
【００９３】
また、実施例１で示した液カップ４と歯科用カプセル１ｃの液カップ４はほぼ同じであり、次の点が異なる。歯科用カプセル１ｃの液カップ４は突起４ｃ及び薄膜シール４ｄに代わって薄膜シート４ｆが形成されたカップ４ａからなる。
【００９４】
図１０に示すように、カプセル３に液カップ４を挿入した際に、前記中央突起３ｎの延長線上に液カップ４の薄膜シート４ｆが位置しており、液カップ４を押入すると薄膜シート４ｆに中央突起３ｎがあたり、薄膜シート４ｆが破れて開通する。
【００９５】
以上の状態からプランジャー５を押入してゆくと液カップ４内の第１成分６が液カップ４から押し出されてノズル２へ移動し、ノズル２内で第２成分７と混合されて混合液８となる。
【実施例５】
【００９６】
次に図１２及び図１３を使用して本発明である歯科用カプセル１ｄを詳細に説明することとする。図１２は本発明である歯科用カプセルの第５実施例の断面図、図１３は歯科用カプセルの第５実施例の分解断面図である。
【００９７】
図１２及び図１３に示すように、歯科用カプセル１ｄは実施例２で示した歯科用カプセル１ａとほぼ同じ構成をしている。
【００９８】
即ち、図１２及び図１３に示すように、本発明である歯科用カプセル１ｄは、先端口９ｃと取付部９ｂを形成したチューブ体９ａからなるノズル９と、
前記ノズル９を連結するノズル取付部１０ｄを先端に形成し後端外周面にアプライヤーを取り付けるための係合部１０ｂを形成した内部が中空のカプセル本体１０ａからなり内部に突起１０ｊを設けたカプセル１０と、
先端に通路１１ｆと共に通路１１ｆを塞ぐ薄膜シート１１ｉを備えた先端部１１ｂを形成し後端は大きく開口して外周面にストッパー１１ｇを形成したカップ本体１１ａからなり前記カプセル本体１０ａ内に挿入される第１カップ１１と、
先端から全体の４分の１程度後部に向かって内壁面を徐々に径を小さく形成して最も径の小さい位置を挟装部１２ｅとし後端外周面に拡張部１２ｆを形成したカップ本体１２ａからなり前記第１カップ１１内に挿入される第２カップ１２と、
前記挟装部１２ｅに挟まれた状態で取り付けられる撹拌子１３と、
先端に撹拌子受け部１４ａを形成した内プランジャー１４を挿入して連結し前記第２カップ１２内に取付けられる筒状の外プランジャー１５とからなる。
【００９９】
以上のようにノズル９、第２カップ１２、撹拌子１３、内プランジャー１４及び外プランジャー１５については実施例２と全く同様であるため省略し、実施例２と一部が異なるカプセル１０及び第１カップ１１について説明することとする。
【０１００】
実施例２で示したカプセル１０と歯科用カプセル１ｄのカプセル１０はほぼ同じであり、次の点が異なる。図１２及び図１３に示すように、歯科用カプセル１ｄのカプセル１０には内部の陥入部１０ｇ付近に突起１０ｊが形成されている。
【０１０１】
この突起１０ｊはノズル取付部１０ｄに形成された孔１０ｆの脇に第３室１０ｉに向かった状態で形成されている。
【０１０２】
また、実施例２で示した第１カップ１１と歯科用カプセル１ｄの第１カップ１１はほぼ同じであり、次の点がことなる。歯科用カプセル１ｄの第１カップ１１は突起１１ｆ及び薄膜シール１１ｅに代わって薄膜シート１１ｉが形成されたカップ本体１１ａからなる。
【０１０３】
図１２に示すように、カプセル１０に第１カップ１１を挿入した際に、前記突起１０ｊの延長線上に第１カップ１１の薄膜シート１１ｉが位置しており、第１カップ１１を押入すると薄膜シート１１ｉに突起１０ｊがあたり、薄膜シート１１ｉが破れて開通する。
【０１０４】
以上の状態から内プランジャー１４を押入してゆくと第３室１０ｉ内で予め混合されてできた混合液８が通路１１ｆを通りノズル９から押し出される。
【実施例６】
【０１０５】
次に図１４及び図１５を使用して本発明である歯科用カプセル１ｅを詳細に説明することとする。図１４は本発明である歯科用カプセルの第６実施例の断面図、図１５は歯科用カプセルの第８実施例の分解断面図である。
【０１０６】
図１４及び図１５に示すように、歯科用カプセル１ｅは実施例３で示した歯科用カプセル１ｂとほぼ同じ構成をしている。
【０１０７】
即ち、本発明である歯科用カプセル１ｅは、スタティックミキサー２ｅを内包し後端に取付部２ｂを形成したチューブ体２ａからなるノズル２と、
前記ノズル２を連結するノズル取付部１６ｂを先端面に形成し内部が中空で後端が開口したカプセル本体１６ａからなり前記カプセル本体１６ａ内部に２つの突起片１６ｄ、１６ｅを形成したカプセル１６と、
先端面に薄膜シート１７ｅを備え後端が開口したカップ本体１７ａからなり前記カプセル１６内に収納される第３カップ１７と、
先端面に薄膜シート１８ｆを備え後端が開口したカップ本体１８ａからなり前記カプセル１６内に収納される第４カップ１８と、
先端に逃げ溝１９ｂを設け後端外周面に拡張部１９ａを形成し前記第３カップ１７に圧入される第１プランジャー１９と、
先端に逃げ溝２０ｂを設け後端外周面に拡張部２０ａを形成し前記第４カップ１８に圧入される第２プランジャー２０とからなる。
【０１０８】
以上にようにノズル２、カプセル１６、第１プランジャー１９及び第２プランジャー２０については実施例３と全く同様であるため省略し、実施例３と一部が異なる第３及び第４カプセル１７、１８について説明することとする。
【０１０９】
前記第３カップ１７は、先端面に薄膜シート１７ｅを形成し後端が開口したカップ本体１７ａからなる。先端面の薄膜シート１７ｅは一定の力を加えると破れ、カップ本体１７ａの先端が開通する。
【０１１０】
前記第４カップ１８は、先端面に薄膜シート１８ｆを形成し後端が開口したカップ本体１８ａからなる。先端面の薄膜シート１８ｆは一定の力を加えると破れ、カップ本体１８ａの先端が開通する。
【０１１１】
図１４に示すように、第３カップ１７は中に第１成分６を入れて後端より第１プランジャー１９で栓をされ、一方第４カップ１８は中に第２成分７を入れて後端より第２プランジャー２０で栓をされた状態でカプセル１６内に挿入される。
【０１１２】
このとき、突起片１６ｄの延長線上に薄膜シート１７ｅが位置しており、突起片１６ｅの延長線上に薄膜シート１８ｆが位置している。
【０１１３】
第３及び第４カップ１７、１８をカプセル１６内に押入すると、薄膜シート１７ｅ、１８ｆはそれぞれ突起片１６ｄ、１６ｅに接触し、更に押入を進めると薄膜シート１７ｅ、１８ｆが破れて第３カップ１７と第４カップ１８の先端が開通する。
【０１１４】
以上の状態から第１プランジャー１９及び第２プランジャー２０を押入すると第１成分６及び第２成分７がノズル２へ押し出され、スタティックミキサー２ｅを通過する際に混合されて混合液８となって先端口２ｃより押し出される。
【実施例７】
【０１１５】
次に図１６及び図１７を使用して、本発明である歯科用カプセルで使用するノズルの第２に実施例を説明する。図１６本発明である歯科用カプセルのノズルの断面図、図１７は科用カプセルのノズルの分解断面図である。
【０１１６】
図１６及び図１７に示すように、ノズル２１は先端に係合部２１ｈと凹部２１ｇを形成し後端に取付部２１ｂを形成した内部が中空２１ｆのチューブ体２１ａからなり、前記中空２１ｆ部分にはスタティックミキサー２１ｅを備え、前記チューブ体２１ａの先端には一端に係合部２２ｄと凹部２２ｃを形成したチューブ体２２ａからなる可変ノズル２２を可変可能に取り付けた。
【０１１７】
前記可変ノズル２２とノズル２１は、ノズル２１の先端に形成された係合部２１ｈを可変ノズル２２の凹部２２ｃに係合させ、可変ノズル２２の係合部２２ｄをノズル２１の凹部２１ｇに係合させることにより連結されており、また、その際、可変ノズル２２はノズル２１に固着されているのではなく、３６０°可変可能に取り付けられている。
【０１１８】
従って、可変ノズル２２を動かすことにより混合液が排出される先端口２２ｂの向きを変えることができる。
【０１１９】
尚、前記ノズル２１について、ノズル内で２種類の成分を混合する場合には上記のようにノズル２１内にスタティックミキサーを内包していなければならないが、ノズル２１以前の段階で２種類の成分が混合されている場合は、前記スタティックミキサーは内包していなくても構わない。
【図面の簡単な説明】
【０１２０】
【図１】本発明である歯科用カプセルの断面図である。
【図２】本発明である歯科用カプセルの分解断面図である。
【図３】本発明である歯科用カプセルの各状態を示した断面図である。
【図４】本発明である歯科用カプセルの第２実施例の断面図である。
【図５】本発明である歯科用カプセルの第２実施例の分解断面図である。
【図６】本発明である歯科用カプセルの第２実施例の各状態を示した断面図である。
【図７】本発明である歯科用カプセルの第３実施例の断面図である。
【図８】本発明である歯科用カプセルの第３実施例の分解断面図である。
【図９】本発明である歯科用カプセルの第３実施例の各状態を示した断面図である。
【図１０】本発明である歯科用カプセルの第４実施例の断面図である。
【図１１】本発明である歯科用カプセルの第４実施例の分解断面図である。
【図１２】本発明である歯科用カプセルの第５実施例の断面図である。
【図１３】本発明である歯科用カプセルの第５実施例の分解断面図である。
【図１４】本発明である歯科用カプセルの第６実施例の断面図である。
【図１５】本発明である歯科用カプセルの第８実施例の分解断面図である。
【図１６】本発明である歯科用カプセルのノズルの断面図である。
【図１７】本発明である歯科用カプセルのノズルの分解断面図である。
【符号の説明】
【０１２１】
１      歯科用カプセル
１ａ    歯科用カプセル
１ｂ    歯科用カプセル
１ｃ    歯科用カプセル
１ｄ    歯科用カプセル
１ｅ    歯科用カプセル
２      ノズル
２ａ    チューブ体
２ｂ    取付部
２ｃ    先端口
２ｄ    凹部
２ｅ    スタティックミキサー
２ｆ    中空
３      カプセル
３ａ    カプセル本体
３ｂ    係合部
３ｃ    係合溝
３ｄ    外壁
３ｅ    内壁
３ｆ    連結部
３ｇ    凸部
３ｈ    突起
３ｉ    薄膜シール
３ｊ    通路
３ｋ    ストッパー
３ｌ    第１室
３ｍ    壁
３ｎ    中央突起
４      液カップ
４ａ    カップ
４ｂ    拡張部
４ｃ    突起
４ｄ    薄膜シール
４ｅ    第２室
４ｆ    薄膜シート
５      プランジャー
５ａ    プランジャー本体
５ｂ    外壁
５ｃ    中壁
５ｄ    内壁
５ｅ    挿入溝
５ｆ    凹部
６      第１成分
７      第２成分
８      混合液
９      ノズル
９ａ    チューブ体
９ｂ    取付部
９ｃ    先端口
９ｄ    凹部
１０      カプセル
１０ａ    カプセル本体
１０ｂ    係合部
１０ｃ    係合溝
１０ｄ    ノズル取付部
１０ｅ    凸部
１０ｆ    孔
１０ｇ    陥入部
１０ｈ    ストッパー受け
１０ｉ    第３室
１０ｊ    突起
１１      第１カップ
１１ａ    カップ本体
１１ｂ    先端部
１１ｃ    突起
１１ｄ    突部
１１ｅ    薄膜シール
１１ｆ    通路
１１ｇ    ストッパー
１１ｈ    第４室
１１ｉ    薄膜シート
１２      第２カップ
１２ａ    カップ本体
１２ｂ    第５室
１２ｃ    通路
１２ｄ    ストッパー受け
１２ｅ    挟装部
１２ｆ    拡張部
１２ｇ    撹拌子設置位置
１３      撹拌子
１４      内プランジャー
１４ａ    撹拌子受け部
１４ｂ    ストッパー
１４ｃ    突部
１５      外プランジャー
１５ａ    挿通孔
１６      カプセル
１６ａ    カプセル本体
１６ｂ    ノズル取付部
１６ｃ    凸部
１６ｄ    突起片
１６ｅ    突起片
１６ｆ    孔
１６ｇ    内壁
１７      第３カップ
１７ａ    カップ本体
１７ｂ    薄膜シール
１７ｃ    開通片
１７ｄ    第６室
１７ｅ    薄膜シート
１８      第４カップ
１８ａ    カップ本体
１８ｂ    薄膜シール
１８ｃ    開通片
１８ｄ    先端部
１８ｅ    第７室
１８ｆ    薄膜シート
１９      第１プランジャー
１９ａ    拡張部
１９ｂ    逃げ溝
２０      第２プランジャー
２０ａ    拡張部
２０ｂ    逃げ溝
２０ｃ    先端部
２１      ノズル
２１ａ    チューブ体
２１ｂ    取付部
２１ｃ    先端口
２１ｄ    凹部
２１ｅ    スタティックミキサー
２１ｆ    中空
２１ｇ    凹部
２１ｈ    係合部
２２      可変ノズル
２２ａ    チューブ体
２２ｂ    先端口
２２ｃ    凹部
２２ｄ    係合部
【図１】
0005399527.tif 000002
【図２】
0005399527.tif 000003
【図３】
0005399527.tif 000004
【図４】
0005399527.tif 000005
【図５】
0005399527.tif 000006
【図６】
0005399527.tif 000007
【図７】
0005399527.tif 000008
【図８】
0005399527.tif 000009
【図９】
0005399527.tif 000010
【図１０】
0005399527.tif 000011
【図１１】
0005399527.tif 000012
【図１２】
0005399527.tif 000013
【図１３】
0005399527.tif 000014
【図１４】
0005399527.tif 000015
【図１５】
0005399527.tif 000016
【図１６】
0005399527.tif 000017
【図１７】
0005399527.tif 000018